(57)【要約】【課題】北極海及び南極の海近くの陸地において自然の温度により製造した氷を北極海および南極の海へ移送可能な氷島製造装置の提供。【解決手段】  河川沿いに設ける氷島製造箱１３と、氷島製造床面６と、氷島製造床面６の一端面に設けられたジャッキー２と、氷島床補強材５と、製造箱扉７と、ホース１２とを備えた氷島製造装置において、摂氏零度以下の環境下で氷島製造箱１３内にホース１２より送出される水が氷島製造床面６において氷島底氷９となるよう構成するとともに、氷島底氷９の面に対して垂直に部分氷結箱１４を備え、氷に構成された氷島底氷９と部分氷箱１４とが一体となり海８へ流すことが可能なように構成された氷島１７と、海８に流された複数の氷島１７が一体となって海流にのり北極海及び南極の海へ流れることが可能なように氷島１７と氷島１７との間に氷島連結具１６とを備えたことを特徴とする事。【選択図】図１
2010112686.tif 000002
【特許請求の範囲】
【請求項１】
海に面して設けられた氷島製造箱と、氷島製造箱の側面に離間を保って配置された補強材と、氷島製造箱の一端底面に配置された上下に駆動することで氷島製造箱全体がジャッキーと、氷島製造箱底面に格子状に設けられた氷島底補強材と、氷島製造箱へ水を送出可能なホースとを備えた氷島製造装置において、ホースより送出された水が氷島製造箱底面において構成された氷島底氷に対して垂直に離間を保って配置された部分氷結箱と、氷島底氷と部分氷結箱の間にホースより新たに送出される氷結真水と、ジャッキーを伸ばすことで氷島製造箱の中に構成された氷島全体が海へと送出が可能な製造箱扉とを備えたことを特徴とする氷島製造装置。
【請求項２】
海に送出された複数の氷島と氷島とを一箇所以上で連結することが可能な氷島連結具と、氷島の上部に覆うように配置された砕氷とを備える請求項１に記載の氷島製造装置。
【発明の詳細な説明】
【技術分野】
【０００１】  本発明は、北極海及び南極の海から近い港において氷を自然の大気で製造し北極海及び南極の海へ流す装置に関するものである。
【背景技術】
【０００２】  従来、氷の製造は、水の凝固点以下の温度を有するオゾンや代替オゾンなどの冷媒をコンプレッサーなどにより加圧し液化させたガスを一気に減圧することで、膨張・低温化させ水から熱を奪うことで水を凍らす冷凍庫や冷凍室などの方法や、外気の温度が水の凝固点以下の温度になる自然の環境下において水を配置し自然に氷を製造するという方法が一般的である。
【発明の開示】
【発明が解決しようとする課題】
【０００３】  従来の方法では、北極海や南極の海全体を氷で覆う程の量を製造する場合、冷媒物質の圧縮による液化と減圧などを行う場合、大量のエネルギーを消費する必要がある。本発明の目的は、北極海及び南極の海へ氷を送ることで地球温暖化における地球全体の気候のバランスを戻すということであり、エネルギーを大量に消費することは本来の目的を果たすことができないという問題がある。また、外気の温度が水の凝固点以下の環境下において水を放置することで氷を製造する方法は、エネルギー源の消費は無いが、氷全体を作るのに時間がかかってしまうという問題がある。本発明は、上記課題に鑑みてなされたもので、自然の温度が水の凝固点以下の環境下において、河川や湖などの水を自然の温度で凍らせるとともに、氷全体の一部分が、北極海や南極の海へ送出される間に凍ることができるよう水の状態のまま蓄積した氷として製造することで短時間に大量の氷を海へ送出することが可能な氷島製造装置を提供する。
【課題を解決するための手段及び効果】
【０００４】  本発明の氷島製造装置は、海に面して設けられた氷島製造箱と、氷島製造箱の側面に離間を保って配置された補強材と、氷島製造箱の一端底面に配置された上下に駆動することで氷島製造箱全体がジャッキーと、氷島製造箱底面に格子状に設けられた氷島底補強材と、氷島製造箱へ水を送出可能なホースとを備えた氷島製造装置において、ホースより送出された水が氷島製造箱底面において構成された氷島底氷に対して垂直に離間を保って配置された部分氷結箱と、氷島底氷と部分氷結箱の間にホースより新たに送出される氷結真水と、ジャッキーを伸ばすことで氷島製造箱の中に構成された氷島全体が海へと送出が可能な製造箱扉とを備えたことを特徴とするので、製造された氷島を海へ流す事が可能となり、北極海や南極の海へ海流が流れている場所を特定すれば氷を製造した地域から海流にのり北極海や南極の海へ氷を運ぶことが可能となるとともに、氷島底水と部分氷結箱と別の部分氷結箱との間に設けられた氷結真水が海流に乗っている間に凍ることが可能となり、短時間に大量の氷を製造することが可能となる。
海に送出された複数の氷島と氷島とを一箇所以上で連結することが可能な氷島連結具と、氷島の上部に覆うように配置された砕氷とを備えたので、より大きな氷島を製造可能となる。
【発明を実施するための最良の形態】
【０００５】  図１乃至図７は本発明の最良の形態による氷島製造装置を示し、図１は氷島製造装置の平面図を示し、図２は氷島製造装置の側面図を示し、図３は水を送出するホースと氷島底氷製造過程の側面図を示し、図４はジャッキーを伸ばした時の氷島製造装置の側面図を示し、図５は部分氷結箱を設けた後の氷島製造装置の側面図を示し、図６は氷島製造装置内の空いた空間へ水を送出時の平面図を示し、図７は連結した氷島及び砕氷の側面図を示す。【０００６】  本発明の氷島製造装置は、海に面して河川など水の供給が可能な場所に面した位置に例えば直方体に形成された氷島製造箱１３と、河川などから水を引くことが可能なホース１２と、氷島製造箱１３内部で氷になり海８へ送出される氷島１７とを備える。【０００７】  図１に示すように、氷島製造箱１３は、氷島製造床面６と、海に近い側の側面に配置された開閉可能な製造箱扉７と、製造箱扉７と対する側面に配置された氷島製造枠後方３と、製造箱扉７と氷島製造枠後方３とに垂直な位置に配置した氷島製造箱１３の二つの側面を構成する氷船製造枠側面４とを備える。【０００８】  氷島製造箱床面６は、格子状に配置された氷島底補強材５を備え、海から離れた一端床面と大地との間には上下へ駆動することが可能なジャッキー２が離間を保って配置される。【０００９】  氷島製造枠後方３と二つの氷島製造枠側面４は、離間を保って配置された補強材１を備える。【００１０】  図３に示すように、氷島製造箱１３より上側に配置されるホース１２は、氷島製造箱１３側の一端面に水送出口のためのノズル１１を備える。【００１１】    氷島１７は、氷島製造箱１３にノズル１１より送出された氷結真水１０が外気の温度  により凍るよう配置された氷島底氷９と、氷島製造箱１３の外部で製造され氷島底氷９  に垂直に離間を保って配置された部分氷箱１４と、氷島底氷９と部分氷箱１４との間の  空間を満たすように再度ノズル１１より送出された氷結真水１０とを備える。【００１２】  図７に示すように、海８へ送出された複数の氷島１７は、氷島１７と氷島１７が隣接して固定されるよう間に設けられた氷島連結具１６と、氷島１７上側表面を覆うよう配置された砕氷１５とを備える。【００１３】  次に動作を説明する。はじめに、北極海または南極の海に近い外気の温度が水の凝固点より低く、海に面した場所に氷島製造装置を配置する。氷島製造箱１３は、大地に対して平行に静止させる。次に、氷島製造装置１３より上側に河川など水を引ける場所に繋がっているホース１２を配置する。ホース１２に設けられたノズル１１より送出される氷結真水１０が、氷島製造箱１３内で外気の温度により凍ることで氷島底氷９となる。【００１４】  氷島底氷９を製造している間に、氷島製造箱１３の外部においても、河川の水や水道水を利用して小さな氷である部分氷結箱１４を製造しておく。この部分氷結箱１４を氷島底氷９に対して離間を保って垂直に配置させる。次に、氷島底氷９と複数の部分氷結箱１４との間に存在する空間に対して、ノズル１１より氷結真水１０を送出して満たしていく。この時、氷島底氷９と、複数の部分氷結箱１４と、氷結真水１０により氷島１７が構成される。【００１５】  氷島１７が完成すると、ジャッキー２が伸びることによって、海８へ氷島１７が送出されるように氷島製造箱１３が傾く。氷島製造箱１３が十分傾くと氷島１７が海８へと送出される。そして、ジャッキー２を再び氷島製造箱１３が大地に平行になるまで戻し、同じ方法で氷島１７の製造、海８への送出を繰り返していく。【００１６】  海８において送出された複数の氷島１７は、氷島１７と氷島１７が互いに隣接するように配置され、例えば天井部と両側面の互いに接する部分に氷島連結具１６を配置し固定する。連結された氷島１７の上側を覆うように砕氷１５を配置させる。連結された氷島１７は、海流に乗り北極海または南極の海まで送られていく。氷島１７の氷結真水１０は、海流に乗っている間に氷になっていく。【００１７】  最良の形態によれば、外気の温度が水の凝固点よりも低い北極海または南極の海近くの港に氷島製造箱１３と河川などより水を引くことが可能なホース１２及びノズル１１を配置し、氷島製造箱１３の一端底面にジャッキー２を配置することができたので、氷島製造箱１３内において氷島１７を製造し、海８へ送出することが可能となる。また、氷島１７が、氷島底氷９と部分氷結箱１４との間に氷結真水１０を配置されたので、短期間に大量の氷島１７を製造することが可能となる。複数製造された氷島１７は、海８の上で氷島連結具１６により互いに固定されることが可能となる。
【産業上の利用可能性】
【００１８】  上記では、氷島製造箱１３は、直方体で形成されたが他の形に形状されてもよい。また、氷島製造箱１３へ送出される水は、河川の水を利用したが、湖の水や、水道からの水を利用しても良い。連結された氷島１７の表面を覆うように砕氷１５を配置したが、さらに砕氷１５に塩を撒くなどして溶けにくい氷島１７を構成しても良い。
【図面の簡単な説明】
【００１９】
【図１】氷島製造装置の平面図（最良の形態）。
【図２】氷島製造装置の側面図（最良の形態）。
【図３】水を送出するホースと氷島底氷製造過程の側面図（最良の形態）。
【図４】ジャッキーを伸ばした時の氷島製造装置の側面図（最良の形態）。
【図５】部分氷結箱を設けた後の氷島製造装置の側面図（最良の形態）。
【図６】氷島製造装置内の空いた空間へ水を送出時の平面図（最良の形態）。
【図７】連結した氷島及び砕氷の側面図（最良の形態）。
【符号の説明】
【００２０】  １  補強材、２  ジャッキー、３  氷島製造枠後方、４  氷島製造枠側面、５  氷島底補強材、６  氷島製造箱床面、７  製造箱扉、８  海、９  氷島底氷、１０  氷結真水、１１  ノズル、１２  ホース、１３  氷島製造箱、１４  部分氷結箱、１５  砕氷、１６  氷島連結具、１７  氷島
【図１】
2010112686.tif 000003
【図２】
2010112686.tif 000004
【図３】
2010112686.tif 000005
【図４】
2010112686.tif 000006
【図５】
2010112686.tif 000007
【図６】
2010112686.tif 000008
【図７】
2010112686.tif 000009